(57)【要約】【課題】発電機の回転軸又は他の回転機械に接続するための駆動回転装置を提供する。【解決手段】駆動回転装置は、フレームの水平面方向の環状区域に少なくとも一つの電磁部材と、電磁部材の数に対応する感知スイッチ部材とが設置され、フレームに水平面方向に沿って回転可能な回転子部材が設置される。回転子部材の複数の回転アームの末端にそれぞれ導磁性を有する磁気吸引ブロックが設置される。電磁部材及び感知スイッチ部材によって回転子部材に磁気吸引力を適時に提供及び停止する切り替え作用と、フレームに回転子部材の回転慣性と、フライホイール内に歯車比の部材の作動と合わせて、回転子部材を連続的に回転させて発電機を運転することができる。また、感知スイッチ部材によって電磁部材が回転子部材に対する磁気吸引力を適時に発生させる及び適時に断電して磁気吸引力を発生しないよう制御することによって、電力の消費を削減することができる。【選択図】  図１
2015226462.tif 000002
【特許請求の範囲】
【請求項１】
回転軸に接続するための駆動回転装置であって、フレームと、回転子部材と、電磁部材と、感知スイッチ部材と、を備え、
前記フレームは、水平面方向に沿って設置された環状区域を有し、前記回転軸が垂直面方向に沿って前記フレームの中心に挿通され、
前記回転子部材は、水平面方向に沿って前記フレーム上に回転可能に設置され、回転中心部と、複数の回転アームと、導磁性を有する複数の磁気吸引ブロックとを備え、前記複数の回転アームがそれぞれ前記回転中心部の外周縁から外向きに突出して等角度で配置され、前記複数の磁気吸引ブロックがそれぞれ前記複数の回転アームの末端に固定され、前記回転子部材が前記回転中心部によって前記回転軸に固定され、
前記電磁部材は、前記回転子部材の倍数の数で、前記回転子部材の磁気吸引ブロックの回転経路に対応して等角度で前記フレームの環状区域に配置され、
前記感知スイッチ部材は、前記電磁部材の数に対応する数で、前記フレームの環状区域に配置されて、且つ前記電磁部材に対して回転方向の前方に位置し、
前記感知スイッチ部材は、前記回転子部材の任意の前記磁気吸引ブロックが前記電磁部材の前方に回転した場合、順次に前記電磁部材に通電して回転中の前記回転子部材に対して磁気吸引力を発生させる作用と、前記電磁部材を断電して磁気吸引力の発生を停止させる作用とが制御可能であることを特徴とする、駆動回転装置。
【請求項２】
前記回転子部材は、各前記回転アームの末端にそれぞれ一つの前記磁気吸引ブロックが設置され、前記複数の電磁部材は、前記回転子部材の回転経路の外周に沿って前記フレームの環状区域内に位置し、前記電磁部材は、それぞれ電磁ブロック及び前記電磁ブロックの外側に巻回されたコイルを備え、前記感知スイッチ部材は、感知スイッチオン素子及び感知スイッチオフ素子を備え、前記感知スイッチオン素子及び前記感知スイッチオフ素子は、対応する前記電磁部材の前方に対して前後間隔に設置され、それぞれ対応する前記電磁部材に電気的に接続されることを特徴とする、請求項１に記載の駆動回転装置。
【請求項３】
前記回転子部材は、各前記回転アームの末端にそれぞれ二つの前記磁気吸引ブロックが設置され、各前記回転アームの末端の二つの前記磁気吸引ブロックは、前記フレームの環状区域の外周に位置し、中心軸方向と平行する方向に沿って両側に相対的に配置され、前記電磁部材は、それぞれ電磁ブロック及び前記電磁ブロックの外側に巻回されたコイルを備え、前記電磁ブロックは、前記フレームの中心軸方向と平行するように配置され、両端がそれぞれ二つの前記磁気吸引ブロックの回転経路に対応し、前記感知スイッチ部材は、感知スイッチオン素子及び感知スイッチオフ素子を備え、前記感知スイッチオン素子及び前記感知スイッチオフ素子は、対応する前記電磁部材の前方に対して前後間隔に設置され、それぞれ対応する前記電磁部材に電気的に接続されることを特徴とする、請求項１に記載の駆動回転装置。
【請求項４】
前記駆動回転装置は、前記回転軸に接続される発電機をさらに備えることを特徴とする、請求項１に記載の駆動回転装置。
【請求項５】
前記駆動回転装置は、前記回転軸に接続される外部コネクタと、前記外部コネクタに接続されると共に、フライホイールの機能を有する駆動歯車と、適切な比率で前記駆動歯車と噛み合う複数の従動歯車と、前記従動歯車にそれぞれ接続される複数の発電装置とをさらに備えることを特徴とする、請求項１に記載の駆動回転装置。
【請求項６】
前記駆動歯車は、内歯車であることを特徴とする、請求項５に記載の駆動回転装置。
【請求項７】
前記駆動歯車は、外歯車であることを特徴とする、請求項５に記載の駆動回転装置。
【発明の詳細な説明】
【技術分野】
【０００１】
本発明は、駆動回転装置に係り、特に、発電機又は他の回転機構に応用する駆動回転装置に関するものである。
【背景技術】
【０００２】
発電機は、入力した機械的エネルギーを電気エネルギーに変換して出力する機械である。しかし、発電機によってエネルギーの変換を持続的に行うには、駆動回転装置で起動させる必要がある。従来、発電機の駆動回転装置としては、風力によって回転する風車、水位差によって回転する水車、又は石炭、石油などの燃料を使用する内燃機などが用いられている。
【発明の概要】
【発明が解決しようとする課題】
【０００３】
しかし、上述した発電機の駆動回転装置は、自然環境の影響を強く受け、且つ自然景観を破壊しやすいことで、理想的な駆動回転装置ではない。
【課題を解決するための手段】
【０００４】
本発明が解決しようとする問題点は、従来の発電機の駆動機構が自然環境の影響を受ける及び自然景観を破壊する問題点を解決するための駆動回転装置を提供する。
【０００５】
本発明は、回転軸に接続するための駆動回転装置を提供し、その駆動回転装置は、フレームと、回転子部材と、電磁部材と、感知スイッチ部材とを備える。フレームは、水平面方向に沿って設置された環状区域を有し、回転軸が垂直面方向に沿ってフレームの中心に挿通される。回転子部材は、水平面方向に沿ってフレーム上に回転可能に設置され、回転中心部と、複数の回転アームと、導磁性を有する複数の磁気吸引ブロックとを備え、複数の回転アームがそれぞれ回転中心部の外周縁から外向きに突出して等角度で配置され、複数の磁気吸引ブロックがそれぞれ複数の回転アームの末端に固定され、回転子部材が回転中心部によって回転軸に固定される。複数の電磁部材は、回転子部材の倍数の数で、回転子部材の磁気吸引ブロックの回転経路に対応して等角度でフレームの環状区域に配置される。感知スイッチ部材は、電磁部材の数に対応する数で、フレームの環状区域に配置されて、電磁部材に対して回転方向の前方に位置する。感知スイッチ部材は、回転子部材の任意の磁気吸引ブロックが電磁部材の前方に回転した場合、順次に電磁部材に通電して回転中の回転子部材に対して磁気吸引力を発生させる作用と、電磁部材を断電して磁気吸引力の発生を停止させる作用とを制御可能である。
【０００６】
前述した駆動回転装置において、回転子部材は、各回転アームの末端にそれぞれ一つの磁気吸引ブロックが設置される。複数の電磁部材は、回転子部材の回転経路の外周に沿ってフレームの環状区域内に位置する。電磁部材は、それぞれ電磁ブロック及び電磁ブロックの外側に巻回されたコイルを備える。感知スイッチ部材は、感知スイッチオン素子及び感知スイッチオフ素子を備える。感知スイッチオン素子及び感知スイッチオフ素子は、対応する電磁部材の前方において前後に設置され、それぞれ対応する電磁部材に電気的に接続される。
【０００７】
前述した駆動回転装置において、回転子部材は、各回転アームの末端にそれぞれ二つの磁気吸引ブロックが設置される。各回転アームの末端の二つの磁気吸引ブロックは、フレームの環状区域の外周に位置し、中心軸方向と平行する方向に沿って両側に相対的に配置される。電磁部材は、それぞれ電磁ブロック及び電磁ブロックの外側に巻回されたコイルを備える。電磁ブロックは、フレームの中心軸方向と平行するように配置され、両端がそれぞれ二つの磁気吸引ブロックの回転経路に対応する。感知スイッチ部材は、感知スイッチオン素子及び感知スイッチオフ素子を備える。感知スイッチオン素子及び感知スイッチオフ素子は、対応する電磁部材の前方に対して前後間隔に設置され、それぞれ対応する電磁部材に電気的に接続される。
【０００８】
前述した駆動回転装置において、駆動回転装置は、回転軸に接続される発電機をさらに備える。
【０００９】
前述した駆動回転装置において、駆動回転装置は、回転軸に接続される外部コネクタと、外部コネクタに接続されると共に、フライホイールの機能を有する駆動歯車と、適切な比率で前記駆動歯車と噛み合う複数の従動歯車と、従動歯車にそれぞれ接続される複数の発電装置とをさらに備える。
【００１０】
前述した駆動回転装置において、駆動回転装置は、発電装置に接続される従動歯車と噛み合う内歯車である。
【００１１】
前述した駆動回転装置において、駆動回転装置は、発電装置に接続される従動歯車と噛み合う外歯車である。
【発明の効果】
【００１２】
本発明の有益な効果は、本発明の駆動回転装置が水平面方向に回転可能な回転子部材の回転慣性と、電磁部材及び感知スイッチ部材が適時に回転子部材に提供する磁気吸引力とを利用して、回転子部材を連続的に回転させて発電機を運転することができる。感知スイッチ部材の感知スイッチオン素子及び感知スイッチオフ素子と、電磁部材とを適切な位置に配置することによって、感知スイッチオン素子が回転子部材の通過を感知した場合、電磁部材に通電することにより回転子部材に対して磁気吸引力を発生し、感知スイッチオフ素子が回転子部材の通過を感知した場合、電磁部材を断電することにより磁気吸引力の発生を停止させることで、回転子部材の任意の磁気吸引ブロックが電磁部材の前方を通過した場合、磁気吸引力の影響を受けずに回転することができ、回転子部材の回転慣性の抵抗が低減し、電力の消費を削減することができる。それに、電磁部材と、回転子部材の導磁性を有する磁気吸引ブロックとの組み合わせによって、電磁部材の磁極配置を考慮する必要はないので、本発明の駆動回転装置の設置が簡単かつ便利になり、自然環境の影響を受けないと共に、自然環境を破壊することもない。
【００１３】
さらに、本発明の駆動回転装置を発電機に応用する場合、発電機の発電量の需要に応じるため、駆動回転装置の回転軸がさらにフライホイールの機能を有する外部コネクタに接続されることが可能であり、歯車組の歯車比及びフライホイールの回転慣性によって発電機の発電効率を向上させることができる。
【図面の簡単な説明】
【００１４】
【図１】本発明の好ましい第１実施例に係る駆動回転装置の上面断面図である。
【図２】図１の好ましい第１実施例に係る駆動回転装置の側面断面図である。
【図３】本発明の好ましい第２実施例に係る駆動回転装置の上面断面図である。
【図４】本発明の好ましい第３実施例に係る駆動回転装置の立体図である。
【図５】図４の好ましい第３実施例に係る駆動回転装置の上面断面図である。
【図６】図４の好ましい第３実施例に係る駆動回転装置の側面断面図である。
【図７】本発明の好ましい第４実施例に係る駆動回転装置の側面断面図である。
【図８】図７の好ましい第４実施例に係る駆動回転装置の概略図である。
【図９】図７の好ましい第４実施例に係る駆動回転装置の立体図である。
【図１０】図７の好ましい第４実施例に係る駆動回転装置のもう一つの態様を示す立体図である。
【発明を実施するための形態】
【００１５】
本発明の目的を達成するために採用する技術手段を述べるために、図面と好ましい実施例を参照して以下のように説明する。
【００１６】
図１及び図２に示すように、本発明の好ましい第１実施例に係る駆動回転装置１は、起動装置２２を発電機２の回転軸２１又は他の回転機械の回転軸に接続されるものであり、その起動装置２２は、手動工具又は電動機械の組み合わせであってもよい。本発明の駆動装置を発電機に応用する場合、その駆動装置は、発電機の発電量の需要に応じて、歯車組及びフライホイール等の構造と組み合わせて発電機の回転軸に接続されることができる。
【００１７】
本発明の駆動回転装置１は、フレーム１１と、回転子部材１２と、複数の電磁部材１３と、複数の感知スイッチ部材１４を備える。
【００１８】
図１及び図２に示すように、フレーム１１の中心には、回転軸２１が垂直面方向Ｌ１に沿って挿通され、フレーム１１には水平面方向に位置する環状区域１１１が定義される。
【００１９】
図１及び図２に示すように、回転子部材１２は、回転中心部１２０と、複数の回転アーム１２１と、複数の磁気吸引ブロック１２２とを備える。複数の回転アーム１２１は、回転中心部１２０の外周縁から半径方向に外向きに突出して等角度で配置される。複数の磁気吸引ブロック１２２は、磁気吸引力に吸引された導磁性材料で形成された部材であり、且つそれぞれ複数の回転アーム１２１の末端に固定される。回転子部材１２は、水平面方向に沿ってフレーム１１上に回転可能に設置され、回転中心部１２０によって回転軸２１に固定される。回転子部材１２の磁気吸引ブロック１２２はフレーム１１の環状区域１１１の方向に伸びて所定の回転方向（例えば、時計回り方向又は反時計回り方向）に従って回転することができる。好ましい実施例において、回転子部材１２はフレーム１１に反時計回り方向に回転する。好ましい実施例において、磁気吸引ブロック１２２は、中央部分が厚く、外周縁が薄い円盤状部材からなるので、円盤状の磁気吸引ブロック１２２が回転する場合、空気抵抗を低減させることができる。図３に示すように、好ましい第２実施例の駆動回転装置において、回転子部材１２は、実際の需要に応じて磁気吸引ブロック１２２を備える回転アーム１２１の数を増加することができる。
【００２０】
複数の電磁部材１３Ａ、１３Ｂ、１３Ｃ、１３Ｄは、図１及び２に示すように、等角度でフレーム１１の環状区域１１１内に回転子部材１２の回転経路の外周に近接する適切な位置に配置される。複数の電磁部材１３Ａ、１３Ｂ、１３Ｃ、１３Ｄをそれぞれ制御することによって、電磁部材１３が回転子部材１２と接続しないように回転子部材１２の各回転アーム１２１の末端の磁気吸引ブロック１２２に磁気吸引力を提供する。好ましい実施例において、電磁部材１３は、それぞれ電磁ブロック１３１及びコイル１３２を備える。コイル１３２は、電磁ブロック１３１の外周面に巻回され、且つコイル１３２が外部電源に接続されて必要な電力の供給を受けることができるので、電磁部材１３は、通電して磁気吸引力を発生させ、断電して磁気吸引力の発生を停止することができる。外部電源は、太陽電池又は他の電源であってもよい。電磁部材１３が制御されることによって、適時に回転子部材１２の磁気吸引ブロック１２２に対する磁気吸引力を発生させる及び磁気吸引力の発生を停止することで、電力の消費を有効的に削減することができる。
【００２１】
図１及び図２に示すように、感知スイッチ部材１４の数は、電磁部材１３の数に対応する。感知スイッチ部材１４は、それぞれ感知スイッチオン素子１４１及び感知スイッチオフ素子１４２を備える。感知スイッチオン素子１４１及び感知スイッチオフ素子１４２は、赤外線感知スイッチであってもよい。複数の感知スイッチ部材１４は、フレーム１１の環状区域１１１内に回転子部材１２の回転経路に近接する位置に配置される。各感知スイッチ部材１４の感知スイッチオン素子１４１及び感知スイッチオフ素子１４２は、対応する電磁部材１３の前方に位置して、回転子部材１２の回転方向に従って前後間隔に設置される。即ち、感知スイッチオフ素子１４２が感知スイッチオン素子１４１と電磁部材１３との間に位置する。各感知スイッチ部材１４の感知スイッチオン素子１４１及び感知スイッチオフ素子１４２は、対応する電磁部材１３に電気的に接続され、回転子部材１２の任意の回転アーム１２１の末端の磁気吸引ブロック１２２が感知スイッチオン素子１４１及び感知スイッチオフ素子１４２の位置を通過することを検出した場合、それぞれ対応する電磁部材１３の通電及び断電を制御することができる。
【００２２】
図１及び図２に示すように、本発明の駆動回転装置が動作する場合には、起動装置２２によって回転子部材１２を水平面方向に沿って回転させた後、起動装置２２から回転子部材１２への動力供給を停止する。回転子部材１２の回転の過程において、回転子部材１２が回転慣性によって回転し続ける以外、回転子部材１２の任意の回転アーム１２１の末端の磁気吸引ブロック１２２が感知スイッチオン素子１４１の設置された位置を通過した場合、感知スイッチオン素子１４１が電磁部材１３のコイル１３２に通電させて、電磁部材１３における電磁ブロック１３１に磁気吸引力を発生させて、磁気吸引力によって吸引された回転子部材１２を回転方向に従って回転させる。回転子部材１２の回転アーム１２１の末端の磁気吸引ブロック１２２が電磁部材１３の前方に感知スイッチオフ素子１４２の位置を通過した場合、感知スイッチオフ素子１４２が電磁部材１３のコイル１３２を断電させて、電磁部材１３に磁気吸引力が発生しなくなり、回転子部材１２が回転慣性によって回転し続けて、電磁部材１３の吸引を受けないために減速することなく電磁部材１３の前方を通過する。よって、複数の電磁部材１３によって断続的に切り替え通電することにより、回転子部材１２をフレーム１１に連続的に回転させて、回転軸２１を介して発電機を駆動して連続的に発電することができる。
【００２３】
図４−６は、本発明の好ましい第３実施例に係る駆動回転装置である。好ましい第３実施例の駆動回転装置１も起動装置２２を発電機２の回転軸２１に接続されたものである。駆動回転装置１は、フレーム１１と、回転子部材１２Ａと、複数の電磁部材１３と、複数の感知スイッチ部材１４を備える。
【００２４】
図４−６に示すように、フレーム１１は、水平面方向に沿って環状区域を形成し、回転軸２１が垂直面方向に沿ってフレーム１１の中心に挿通される。
【００２５】
図４−６に示すように、回転子部材１２Ａは、回転中心部１２０Ａと、複数の回転アーム１２１Ａと、複数の磁気吸引ブロック１２２Ａ、１２２Ｂとを備える。複数の回転アーム１２１Ａは、回転中心部１２０Ａの外周縁に等角度で配置される。各回転アーム１２１Ａの末端は、それぞれ間隔で配置された二つの磁気吸引ブロック１２２Ａ、１２２Ｂが設置される。回転子部材１２Ａは、水平面方向に沿ってフレーム１１に回転可能に設置されると共に、回転中心部１２０Ａによって回転軸２１に固定される。各回転アーム１２１Ａの末端の二つの磁気吸引ブロック１２２Ａ、１２２Ｂは、フレーム１１の環状区域１１１の外周に位置し、中心軸方向と平行する方向に沿って両側に相対的に配置される（即ち、上下に相対するように配置される）。回転子部材１２Ａは、フレーム１１に所定の回転方向（例えば、時計回り方向又は反時計回り方向）に従って回転することができる。好ましい実施例において、回転子部材１２Ａはフレーム１１に反時計回り方向に回転する。好ましい実施例において、磁気吸引ブロック１２２Ａ、１２２Ｂは、中央部分が厚く、外周縁が薄い円盤状部材からなるので、円盤状の磁気吸引ブロック１２２Ａ、１２２Ｂが回転する場合、空気抵抗を低減させることができる。
【００２６】
図４−６に示すように、電磁部材１３は、それぞれ電磁ブロック１３１及び電磁ブロック１３１の外周面に巻回されたコイル１３２を備える。コイル１３２が外部電源に接続されて必要な電力の供給を受けることができるので、電磁部材１３は、通電して磁気吸引力を発生させ、断電して磁気吸引力が発生しないことができる。外部電源は、太陽電池又は他の電源であってもよい。複数の電磁部材１３は等角度でフレーム１１の環状区域１１１内に配置される。各電磁部材１３の電磁ブロック１３１はフレーム１１の中心軸方向と平行するように配置される。電磁部材１３は、回転子部材１２Ａと接触しないように、回転子部材１２Ａの各回転アーム１２１Ａの末端の二つの磁気吸引ブロック１２２Ａ、１２２Ｂに磁気吸引力を提供することができる。
【００２７】
図４−６に示すように、感知スイッチ部材１４の数は、電磁部材１３の数に対応する。感知スイッチ部材１４は、それぞれ感知スイッチオン素子１４１及び感知スイッチオフ素子１４２を備える。感知スイッチオン素子１４１及び感知スイッチオフ素子１４２は、赤外線感知スイッチであってもよい。複数の感知スイッチ部材１４は、フレーム１１の環状区域１１１内に回転子部材１２Ａの回転経路に近接する位置に配置される。各感知スイッチ部材１４の感知スイッチオン素子１４１及び感知スイッチオフ素子１４２は、対応する電磁部材１３の前方に位置すると共に、回転子部材１２の回転方向に従って前後間隔に設置される。即ち、感知スイッチオフ素子１４２が感知スイッチオン素子１４１と電磁部材１３との間に位置する。各感知スイッチ部材１４の感知スイッチオン素子１４１及び感知スイッチオフ素子１４２は、対応する電磁部材１３に電気的に接続され、回転子部材１２の任意の回転アーム１２１の末端の磁気吸引ブロック１２２が感知スイッチオン素子１４１及び感知スイッチオフ素子１４２の位置を通過することを検出した場合、それぞれ対応する電磁部材１３の通電及び断電を制御することができる。
【００２８】
本発明の好ましい第３実施例の駆動回転装置１が実際に動作する場合、その動作方式は好ましい第１及び第２実施例と同じであり、異なる点は、図４−６に示すように、回転子部材１２Ａの二つの磁気吸引ブロック１２２Ａ、１２２Ｂは、フレーム１１における電磁部材１３Ａ、１３Ｂ、１３Ｃを備える環状区域１１１の外周に、且つ中心軸方向と平行する方向に沿って両側に相対的に配置されることである。電磁部材１３Ａ、１３Ｂ、１３Ｃは、電磁ブロック１３１がフレーム１１の中心軸方向と平行するように設置される。電磁ブロック１３１の両端はそれぞれ各回転アーム１２１Ａの末端の二つの磁気吸引ブロック１２２Ａ、１２２Ｂの回転経路に対応する。よって、電磁部材１３Ａ、１３Ｂ、１３Ｃに通電した場合、電磁ブロック１３１の両端がそれぞれ磁極端としてそれぞれ回転子部材１２Ａの二つの磁気吸引ブロック１２２Ａ、１２２Ｂに対する磁気吸引力を同時に発生させることができる。電磁部材１３Ａ、１３Ｂ、１３Ｃが断電した場合、回転子部材１２Ａの各回転アーム１２１Ａの末端の二つの磁気吸引ブロック１２２Ａ、１２２Ｂに対する磁気吸引力の提供を停止させる。
【００２９】
図７−９は、本発明の好ましい第４実施例に係る駆動回転装置である。回転軸２１が発電機２と直接に接続されることではなく、外部コネクタ３１を介して駆動歯車３２と組み合わせることによって、駆動歯車３２を回転軸２１に従って回転することができる。駆動歯車は発電装置３３に対応するように設置された三つの従動歯車３３１と噛み合って、回転軸２１が回転した場合、駆動歯車３２を連動させて従動歯車３３１を駆動することにより、対応する発電装置３３が電力を発生することができる。また、駆動歯車は、図９に示した内歯車であってもよく、図１０に示した外歯車であってもよいが、これらに限定されない。
【００３０】
要するに、本構造は、自然の無尽蔵な運動エネルギー、例えば、ホイール慣性と、フライホイールの歯車比の慣性運動エネルギーと、電磁力とホイールとの間に互いに吸引及び反発の相互作用とを利用して、簡単な構造で持続運動が絶えずに発生することで、平面の回転を駆動する効果を達することができる。
【００３１】
以上の記載は、本発明の好ましい実施例に過ぎず、本発明に対していかなる形式上の制限もなさず、本発明は既に好ましい実施例により以上のように開示にされたが、しかしながら本発明を限定するものではなく、本分野に詳しいいかなる当業者も本発明技術内容を離脱しない範囲内で、前記開示される技術内容を利用すればいくつかの変更を行うか、または均等な変化をした同一効果の実施例に修飾することできるが、しかし本発明技術内容を離脱しない内容であれば全て、本発明の技術に基づいて実質的に以上の実施例に対して行われるいかなる簡単な変更、均等な変化および修飾も均しく本発明の技術内容の範囲内に属する。
【符号の説明】
【００３２】
１：駆動回転装置
２：発電機
２１：回転軸
２２：起動装置
３１：外部コネクタ
３２：駆動歯車
３３：発電装置
３３１：従動歯車
１１：フレーム
１１１：環状区域
１２、１２Ａ：回転子部材
１２０Ａ：回転中心部
１２１、１２１Ａ：回転アーム
１２２、１２２Ａ、１２２Ｂ：磁気吸引ブロック
１３：電磁部材
１３１：電磁ブロック
１３２：コイル
１４：感知スイッチ部材
１４１：感知スイッチオン素子
１４２：感知スイッチオフ素子
Ｌ１：垂直面方向
【図１】
2015226462.tif 000003
【図２】
2015226462.tif 000004
【図３】
2015226462.tif 000005
【図４】
2015226462.tif 000006
【図５】
2015226462.tif 000007
【図６】
2015226462.tif 000008
【図７】
2015226462.tif 000009
【図８】
2015226462.tif 000010
【図９】
2015226462.tif 000011
【図１０】
2015226462.tif 000012